(57)【要約】【課題】画像や音声などのコンテンツの記録を行ったメディアに関して、所望のコンテンツ部分に簡単に短時間でアクセスして視聴や編集作業を行うためには、記録メディアのタイムレコードに沿ってアクセスを行うため、アクセスおよび読み出しに多くの時間と労力を要した。【解決手段】画像データに関連のメタデータを入力する場合、編集作業中にキーボードでのテキスト入力など複雑な抽出をすることで、画像の検索も容易に行うことができる。【選択図】図１
2007052626.tif 000002
【特許請求の範囲】
【請求項１】
映像、音声またはデータのいずれかを含んだコンテンツの収録手段に対し、
収録したコンテンツを分類する分野別タグを選択して付加する分野別辞書選択手段と、
前記分野別辞書選択手段で選択される各分野の辞書と、
前記辞書を参照した音声認識により前記コンテンツに含まれる音声を文字データに変換する音声認識手段または、前記辞書を参照した音声認識により外部入力音声を選択して文字データに変換する音声認識手段または、前記コンテンツに含まれる映像内の人物または物体を認識して文字データに変換する画像認識手段の少なくとも一つの手段と、
前記文字データをメタデータとして前記コンテンツに関連付ける手段と、
を備えることを特徴とするメタデータ入力装置。
【請求項２】
前記分野別辞書選択手段は、前記分野を単語として含んだ辞書を参照する音声認識により前記分野を特定するか、または、ボタン入力またはキーボード入力からの入力または外部インタフェース入力により前記分野を特定することを特徴とする請求項１記載のメタデータ入力装置。
【請求項３】
前記辞書に登録する単語は、ボタン入力またはキーボード入力またはマイクから入力される音声の音声認識または外部インタフェース入力により、追加、置き換え修正、削除することを特徴とする請求項１記載のメタデータ入力装置。
【請求項４】
コンテンツの収録手段は、音声認識動作用ボタンを具備し、
前記音声認識手段は、前記音声認識動作用ボタンを押した時に、前記音声選択手段の出力音声に識別フラグを付ける手段と、
前記識別フラグが付いた位置を含んだ別途指定された時間範囲の音声に対して音声認識動作を行うことを特徴とする請求項１記載のメタデータ入力装置。
【請求項５】
前記識別フラグが付いた位置を含む指定時間範囲の音声に対して行う音声認識動作は、前記コンテンツの収録手段が前記音声認識手段に割り当てることが可能なCPU演算能力に応じて、前記識別フラグが指し示す位置の音声に対して収録後に非同期実行することを特徴とする請求項４記載のメタデータ入力装置。
【請求項６】
前記収録後に非同期実行され認識されたメタデータは、ボタン入力またはキーボード入力またはマイクから入力される音声の音声認識または外部インタフェース入力により、追加、置き換え修正、削除することを特徴とする請求項５記載のメタデータ入力装置。
【請求項７】
前記コンテンツの映像信号に含まれる人の顔または動物または物体の検出手段と、前記検出手段で検出された人の顔の特徴認識手段と、人の顔の特徴データの辞書と、人の顔の特徴データの辞書を参照して前記人の顔の特徴認識手段で抽出された人の顔の特徴より人物を特定し文字データに変換する手段と、前記文字データをメタデータとして前記コンテンツに関連付ける手段とを備えたことを特徴とする請求項１記載のメタデータ入力装置。
【請求項８】
前記人の顔の検出手段は検出した人の顔それぞれに個別の識別フラグを付加することを特徴とする請求項８記載のメタデータ入力装置。
【請求項９】
前記人の顔の検出手段は検出した人の顔を追尾し、同一人物には１つの識別フラグと識別時間の長さに関する情報を付加することを特徴とする請求項８記載のメタデータ入力装置。
【請求項１０】
前記人物を特定し文字データに変換する手段で人物が特定できない場合は、非特定人物としてメタデータを保持し、ボタン入力またはキーボード入力またはマイクから入力される音声の音声認識または外部インタフェース入力により人物データを追加した後、特定の人物としてメタデータを登録することを特徴とする請求項７記載のメタデータ入力装置。
【請求項１１】
前記人の顔の特徴データの辞書に新たな人物データが入力された場合、前記非特定人物または前記新たな人物データの特徴に類似した特長を持つ人物の人物認識を行ない、新たな人物認識がなされた場合、人物情報を新たに認識された人物情報と設定することを特徴とする請求項７記載のメタデータ入力装置。
【請求項１２】
コンテンツの収録手段は、顔認識動作用ボタンを具備し、
前記人の顔の検出手段は、前記顔認識動作用ボタンを押した時に、前記映像に識別フラグを付ける手段と、
前記識別フラグが付いた位置を含んだ別途指定された時間範囲の映像に含まれる顔認識動作を行うことを特徴とする請求項７記載のメタデータ入力装置。
【請求項１３】
前記識別フラグが付いた位置を含む指定時間範囲の映像に対して行う顔認識動作は、前記コンテンツの収録手段が前記顔認識手段に割り当てることが可能なCPU演算能力に応じて、前記識別フラグが指し示す位置の映像に含まれる顔に対して収録後に非同期実行することを特徴とする請求項１２記載のメタデータ入力装置。
【請求項１４】
請求項１または請求項７記載のメタデータ入力装置により生成されたメタデータをボタン入力またはキーボード入力またはマイクから入力される音声の音声認識または外部インタフェース入力により呼び出す手段と、前記メタデータに関連付けられた映像（フレームまたはフィールド）を呼び出す共に、前記メタデータを別の映像（フレームまたはフィールド）に新たに関連つける手段を具備することを特徴とするコンテンツ処理装置。
【請求項１５】
請求項１または請求項７記載のメタデータ入力装置により生成されるメタデータに優先度を付加し、別途指定された長さの各映像をそのメタデータの優先度の高い順に各々抽出して、ボタン入力またはキーボード入力またはマイクから入力される音声の音声認識または外部インタフェース入力により指定される長さのコンテンツを生成する手段を具備することを特徴とするコンテンツ処理装置。
【請求項１６】
請求項１または請求項７記載のメタデータ入力装置により生成されるメタデータを用いて編集リストを生成する手段と、前記編集リストに従ってコンテンツを編集する手段を具備することを特徴とするコンテンツ処理装置。
【請求項１７】
前記メタデータに関連付けられた映像の長さは、ボタン入力またはキーボード入力またはマイクから入力される音声の音声認識または外部インタフェース入力により指定されることを特徴とする請求項１４記載のコンテンツ処理装置。
【請求項１８】
請求項１５または請求項１６または請求項１７のコンテンツ処理装置において、
生成コンテンツをファイル形式で出力する手段を具備することを特徴とするコンテンツ処理装置。
【請求項１９】
前記ファイル形式コンテンツの生成用の編集リストからコンテンツのタイトル、目次情報または包含メタデータ情報を生成する手段と、前記コンテンツのタイトル、目次情報、前記コンテンツに含まれるメタデータ、または前記コンテンツのプレイリストをネットワークを介して別のユーザに開示する手段を具備することを特徴とする請求項１９記載のコンテンツ処理装置。
【請求項２０】
少なくとも前記プレイリストをインターネット上のサーバーで公開し、前記サーバーにアクセスするユーザにＲＳＳ（ＲＤＦ  Ｓｉｔｅ  Ｓｕｍｍａｒｙ）形式でＡＶコンテンツの再生に関連する情報を知らせることを特徴とする請求項１９記載のコンテンツ処理装置。
【発明の詳細な説明】
【技術分野】
【０００１】
本発明はカメラ撮影時に取得できるコンテンツ（映像、音声、データ）からメタデータを生成し、入力する方法と、検索と頭だしが高速化された編集システムに関して好適なものである。
【背景技術】
【０００２】
従来、カメラ撮影されたコンテンツの編集作業はマスターとなる媒体（テープ、ディスクなど）上に記録されているオリジナルコンテンツ（映像、音声、データ）をコンテンツ制作者の意図に応じて選択、合成する作業であり、非常に多くの手間と時間を要する作業である。また編集作業に要する作業量及び作業時間は放送用や業務用、または家庭用などコンテンツの分野や内容に応じて大きく異なる。放送の分野におけるニュースやスポーツ番組の編集において、素材テープから数秒単位の映像コンテンツを抽出するのに多くの労力が必要である上、抽出したコンテンツが最もふさわしいシーンであるかどうかの信憑性に課題が残る。さらに、スポーツや運動会で特定の人物を追随して撮影する場合、撮影対象の動きが早かったり撮影者が撮影作業に集中できなくなると撮影対象が撮影ファインダーからフレームアウトしてしまうという課題がある。また、撮影場面（シーン）に関連したキーワードをタグとして自動で付加する方法や、簡単な動作でタグを付加する方法も確立されていないため、撮影コンテンツから求める場面にすぐにアクセスする、または、瞬時に頭出しして視聴することが困難である。視聴だけでなく、編集までの作業となると、撮影コンテンツの全貌を把握するのに、多くの作業を要し、結果として編集作業がコンテンツ制作に費用をかけることのできる放送など一部の分野に制限されてしまっている。
従来、メタデータ入力方法は特許文献１に記載されたものが知られている。収録される映像番組の各場面に関する番組付加データするため、入力フォームから対応場面を特定する情報を入力するものである。
また従来の編集支援システムは、特許文献２に記載されたものが知られている。これは、記録に関する各種の情報を示すメタデータであり、シリアル番号、カセット番号、コメントであるメタデータを用いて、記録した映像に関する文字情報を得、これにより、文字列を検索して、所望のシーンの映像を検索することにより編集作業を効率化するシステムである。
そこで、メタデータ入力方法と編集システムとして、特許文献３に記載されたものが知られている。まず、収録時に収録した画像に含まれる文字を検出し、検出された文字に文字認識を行い文字データを生成しメタデータとし、収録された画像データに付随させる。そして、収録時に自動的に生成されたメタデータを編集作業で活用することで、メタデータの入力に必要な労力と時間を必要としない。また、カチンコやメモに書かれている文字データでも認識を行えるため、編集に直接関連している情報をメタデータとして与えることが容易なので、メタデータを編集作業にそのまま活用できるという特徴を持つ。
【特許文献１】特開２００２−１５２６９４号公報
【特許文献２】特開２００１−２９２４０７号公報
【特許文献３】特開２００５−３９５３４号公報
【発明の開示】
【発明が解決しようとする課題】
【０００３】
しかしながら上記した従来の方式ではメタデータを収録後に映像を見ながら、入力フォームにより人間の手で入力しなければならない。そのため、入力のための労力、時間を要する、と言う課題を有している。また、画像に付加されているメタデータがシリアル番号、カセット番号等から文字列信号を生成した場合、直接、編集に必要な情報をピンポイントで検出することは難しいと言う課題も有している。また、文字以外の情報、音声や人物や物体から直接メタデータを生成することができないという課題を有する。
【課題を解決するための手段】
【０００４】
収録時に収録したコンテンツ（映像、音声、データ）の映像に含まれる人物、物体を画像認識し、音声に含まれるキーワードなど音声の認識を行ない、それぞれの認識結果を文字データに変換してメタデータを生成する。そして、このメタデータを収録されたコンテンツと関連づける。収録時に自動的に生成されたメタデータや簡単な動作で生成したメタデータを頭だしや編集作業などで活用することにより、大幅な作業能率の向上を図ることができる。
【発明の効果】
【０００５】
以上の発明により、収録時に収録したコンテンツ（映像、音声、データ）の映像に含まれる人物、物体を画像認識し、音声に含まれるキーワードなど音声の認識を行ない、それぞれの認識結果を文字データに変換してメタデータを生成する。そして、このメタデータを収録されたコンテンツと関連付ける。収録時に自動生成したメタデータや、簡単な動作で生成したメタデータを、頭出しや編集作業で活用し、大幅な作業能率の向上を図ることができる。
【０００６】
さらに、画像認識手段で人を認識した場合、その人の着用している衣類やまた持っている鞄などを画像データベースに登録し、その人物と関連付けておくことより、視聴時の問い合わせに対して検索を簡単に実行できる。
【０００７】
また、音楽や人や人の動きなど著作権の発生するものを自動認識する手段を具備することにより、コンテンツ素材より編集を行った完パケを構成する各シーンの著作権関連項目を呼び出したり、表示したり、各著作権関連項目に著作権の管理元、連絡先、使用条件や著作権料などのメタデータを追記することにより、もし撮影コンテンツに著作権処理が必要な場合、編集素材や完パケに対して必要な著作権処理のリストを容易に作成できる。よって、コンテンツの再利用が促進される。
【０００８】
また、ユーザーは表示されたサムネイル画像を見て、自分の編集したい映像クリップを選び、各クリップ中で使用するシーンを選択し、順番を変えてプレイリストを生成することにより、ダイジェスト再生などが可能となる。
【０００９】
また、プレイリスト出力手段を持つことにより、プレイリストを外部に出力し、外部機器からプレイリストに従ったＡＶコンテンツだけを出力することができる。よて、リモートからのプレイリストによるダイジェスト再生が可能となる。
【００１０】
さらに、メタデータ時刻修正手段を追加することによりプレイリストによる再生で、プレイリストとＡＶコンテンツ間のフレームまたはフィールド誤差取り除くことができる。これにより、ムービー撮影者や撮影監督などのユーザーは考えたとおりにメタデータと映像の同期を取ることが可能となり、ＡＶ信号の編集効率をアップし、映像表現の高精度化、高度化を図ることができる。
【発明を実施するための最良の形態】
【００１１】
（実施の形態１）
図１は本発明の説明図であり、カメラにおいて記録媒体（またはバッファメモリ）上に映像データと音声データとメタデータを作成するシステムのモデルを示している。１０１はカメラ、１０２はカメラのレンズ部、１０３はカメラのマイク、１０４はカメラの撮影対象（風景や人やペットなどの動物、車、建造物などの物）である。また、１０５はカメラで撮影したデータであり、映像データ１０６、音声データ１０７、メタデータ１０８により構成される。１０９はカメラで撮影されたデータシーケンスであり、時間軸上に映像、音声、メタデータが配置されている。メタデータはテキスト形式の文字データとして扱うが、バイナリィ形式のデータとしても良い。
【００１２】
ここでデータシーケンス１０９は、抽出されたシーン＃１からシーン＃５までを含んでいる。１１１は編集により、シーン＃１からシーン＃５までをつなぎ合わせたデータシーケンスである。ユーザはリモコン１１０によるリモート制御により、編集されたデータシーケンスの順番で各シーンをTV112に一覧表示することができる。
【００１３】
１１３はメタデータ入力用ボタンであり、３つのボタンにより構成されている。カメラで撮影中に重要な場面でメタデータ入力用ボタンを押すことにより、その重要な撮影場面（シーン）にマークをつけることができる（マーキング機能）。この重要シーンを指すマークもメタデータであり、撮影後にマーク検索によりマークを付けたシーンを呼び出すことができる。３つのボタンは、たとえば、１つ目のボタンは重要シーンの登録に、２つ目のボタンはボタン操作を有効にしたり文字入力モードに切替えるモード切替えに、３つ目のボタンは登録のキャンセルに、それぞれ使用する。また、１つ目のボタンを押している期間を重要シーンとして登録するモードに切替えることもできる。さらに、１つ目のボタンを押した時点の前後５秒、あるいは前５秒、後１０秒の合計１５秒を重要シーンとして登録するモードに切替えることもできる。ボタンが３つあれば、押すボタンの種類、タイミング、押す長さの組み合わせにより、多くの機能に利用することができる。
【００１４】
ここで、＃１から＃５までのシーンの時間長は任意である。ユーザーはカメラ撮影した撮影素材であるデータシーケンスから、各シーンの開始位置（時間）と終了位置（時間）、または長さを選択して、各シーンを並べ替えることができる。各シーンをTVモニターなどに表示する場合、そのシーンの先頭または先頭以降最後尾のフレーム（またはフィールド）映像をそのシーンを代表する映像として表わすことができる。
【００１５】
図２は、カメラ１０１における映像信号、音声信号、およびメタデータの取り扱いを説明する図である。２０１はカメラからの映像信号、音声信号の入力手段、２０２は音声と画像の認識ユニット手段、２０３は音声認識手段、２０４は画像認識手段、２０５はユーザーの声やユーザーが設定する重要さに関する情報の入力手段、２０６はカメラのセンサー情報入力手段、２０７はメタデータの生成ならびに映像音声との同期ならびにメタデータ管理を行うメタデータ生成・同期・管理手段である。
【００１６】
また、２０８はＭＰＥＧ−２圧縮やＨ．２６４圧縮を行ない記録媒体に記録するフォーマットに変換し記録媒体に記録するＡＶ信号圧縮記録制御手段である。２０９はバッファメモリとしても動作する記録媒体であり、ＡＶデータファイルを含むＡＶデータファイルディレクトリ２１０、タイトルリスト／プレイリスト／ナビゲーションデータファイルを含むタイトルリスト／プレイリスト／ナビゲーションデータファイルディレクトリ２１１、ならびにメタデータファイルを含むメタデータファイルディレクトリ２１２を持つ。
【００１７】
２１３は辞書群であり、内部に複数の分野別辞書（辞書Ａ、辞書Ｂ、辞書Ｃ）を含む。２１４は辞書登録データの追加削除管理手段、２１５は映像信号に含まれる画像に存在する人、物の特定を行う画像認識手段、２１６は画像認識のデータベース（人や動物や物の特徴を記述したデータベース）、２１７はＡＶ信号再生管理手段、２１８は時計、２１９は管理制御手段、２２０はＡＶ信号出力手段である。
【００１８】
図２の動作について説明する。図２において、カメラ１０１で撮影した映像信号、音声信号は、それぞれＡＶ信号入力手段２０１に入力される。ＡＶ信号入力手段２０１に入力された映像信号および音声信号は、それぞれ複数の系統に分けられバッファ（一時保持）された後、それぞれ音声と画像の認識ユニット手段２０２およびＡＶ信号圧縮記録制御手段２０８に出力される。
【００１９】
音声と画像の認識ユニット手段２０２は、音声認識手段２０３および画像の検出を行う画像認識手段２０４を内蔵しており、各々入力された音声の認識および映像に含まれる画像の検出を行う。
【００２０】
ここで、音声認識手段２０３はユーザーのボタン入力などにより辞書群２１３内の複数の辞書Ａ、辞書Ｂ、辞書Ｃなどから任意の辞書を選択する、そして、選択された辞書に登録された単語群データを用いて音声認識を行う。なお辞書Ａ、辞書Ｂ、辞書Ｃの例としては、野球、サッカー、バスケットボールなどの各スポーツ分野別、あるいは運動会、お誕生会、結婚式などのイベント別に設定して登録単語の語彙や単語数を書く分野にふさわしい内容に選択して絞り込んだ辞書とする。そこで、音声認識の実行前に認識を行う分野を選択すれば、音声認識動作における誤認識を削減し、認識率の向上を図ることができる。また、各辞書は、辞書登録データの追加削除管理手段２１４を介して、分野別辞書自体の追加と削除、また各分野別辞書内の登録単語の追加、削除ができる。たとえば、運動会の辞書に、親が自分の子供や知人の子供の名前を追加することが可能であり、子供の名前を音声認識でテキスト化してメタデータとして映像に関連付けて（紐付けてとも言う）記録することにより、再生時に子供の名前を指定（たとえば、再生時にＴＶ画面上に表示された登録メタデータ一覧から選択）することにより、子供の映っている映像に素早くアクセス（クイックアクセス）できる。このように音声認識において、分野の選定と、分野別に絞った辞書でのキーワート゛登録の２段階で行うことにより、認識速度と精度を向上させることができる。
【００２１】
また、画像の検出を行う画像認識手段２０４は、映像信号が１枚の絵を構成する映像フレームまたは映像フィールド（映像と略する）内の意味のある画像を検出、認識する。本実施例における画像の意味として、映像信号が１枚の絵を構成する映像内における意味のあるオブジェクト画像のこととする。画像認識手段２０４は映像内の意味のあるオブジェクトとして人物、人の顔、動物（犬、猫などのペット）、車、電車、飛行機などの乗り物、家やビルなどの建造物、標識などを含んだ道路の景色、観光名所、田園、山岳、町の風景などがある。これら映像内の意味のあるオブジェクトに関する情報は、人や動物や物の特徴を記述した画像認識のデータベース２１６より入力される。たとえば、人の顔を認識する場合には、映像（映像フレームまたは映像フィールド）中の人の顔を認識して、映像において人の顔が存在する領域を例えば四角い領域や丸い領域として認識する。
【００２２】
ここで認識された人の顔が存在する領域を例えば四角い領域や丸い領域は、たとえば、「非特定人物ナンバー１」、「非特定人物ナンバー１２３」などのメタデータを付ける。なお、連続する映像内で同人物と認識される人の顔に関する認識領域は、同じ非特定人物ナンバーを付けることにより、非特定人物ナンバーを削減できる。また、１秒や３秒など一定時間以上に渡って検出した場合のみ非特定人物ナンバーを付ける付加機能を追加することにより、非特定人物ナンバーを削減できる。これにより、撮影者の意図に反して一部の時間だけチラリと見えた人物の認識を排除することができるまた、メタデータ生成するタイミングについては、メタデータ作成ボタンがユーザーにより押されたとき、としても良い。さらに、映像画面上の位置により特定の大きさ以上の場合のみ非特定人物ナンバーを付加する機能を追加することによりさらに非特定人物ナンバーを削減できる。たとえば、画素数がＶＧＡサイズ（横６４０ピクセル、縦４８０ピクセル）の場合、画面の真ん中（横３２０ピクセル、縦２４０ピクセル）の領域では、顔領域が縦、横６０ピクセル以上の場合のみ検出し、画面の端の領域では、顔領域が縦、横４０ピクセル以上の場合に検出する方法がある。これにより画面の真ん中で認識される人物の検出速度（計算速度）と精度を上げることができる。
【００２３】
以上の様に、音声と画像の認識ユニット手段２０２は、音声認識および画像認識により得たテキスト情報をメタデータとしてメタデータ生成・同期・管理手段２０７に入力する。メタデータ生成・同期・管理手段２０７は時計２１８より時刻情報を受け取っており、ＡＶ信号圧縮記録制御手段２０８と連携して映像、音声、メタデータの時間管理（時刻同期）を行う。
【００２４】
メタデータ生成・同期・管理手段２０７に入力される情報は、音声と画像の認識ユニット手段２０２から入力されるメタデータだけでなく、カメラに付いた重要場面設定ボタンや静止画取得ボタンなどからのボタン入力情報を受け付けるユーザー情報入力手段２０５や、カメラの動作状態を表わす各種パラメータ入力を受け付けるセンサー情報入力手段２０６からのメタデータなどがある。ここで、カメラの動作状態を表わすパラメータの例としては、ＧＰＳや携帯電話の位置センサーや加速度センサーを用いた存在位置、カメラの向きや傾き（仰角）情報、カメラ１０１が使用しているレンズ１０２の種類、ズーズ倍率、絞りなどの露光情報などがある。
【００２５】
さて、ＡＶ信号圧縮記録制御手段２０８に入力された映像信号および音声信号および各種のメタデータは、それぞれに関連した映像信号、音声信号、メタデータ同士で紐付けを行う。この紐付けは、映像、音声、メタデータの発生した時間情報（タイムコード。精度としては、映像フレームや映像フィールドでよい。）を元に実行するが、ストリームやファイル中のデータ位置情報を用いて紐付け（関連付け）を行ってもよい。
【００２６】
ＡＶ信号圧縮記録制御手段２０８は、映像圧縮としてＭＰＥＧ−２（または、ＩＴＵ−Ｔ規格  Ｈ．２６２）およびＨ．２６４／ＡＶＣ方式の圧縮エンジン、また、音声圧縮としてＭＰＥＧ−２  ＡＡＣ（Ａｄｖａｎｃｅｄ  Ａｕｄｉｏ  Ｃｏｄｉｎｇ）、ＭＰＥＧ−１  レイヤ３（ＭＰ３）の圧縮エンジンを内蔵している。なお、圧縮エンジンはこれらに限らず、ＤＶ（ＩＥＣ  ６１８３４）方式、ＤＶＣＰＲＯ方式（ＳＭＰＴＥ  ３１４Ｍ）、ＤｉｖＸ  Ｖｉｄｅｏ方式（ｗｗｗ．ｄｉｖｘ．ｃｏｍ）、ＸｖｉＤ方式、ＷＭＶ９（Ｗｉｎｄｏｗｓ（登録商標）  Ｍｅｄｉａ  Ｖｉｄｅｏ  ９）方式（ｗｗｗ．ｍｉｃｒｏｓｏｆｔ．ｃｏｍ））や他の形式の圧縮エンジンを選択することもできる。本実施例では、映像圧縮としてＨ．２６４／ＡＶＣ方式（以下、ＡＶＣと略す）、音声圧縮としてＭＰＥＧ−２  ＡＡＣ（以下、ＡＡＣと略す）を選択しているとする。
【００２７】
ここで、本実施例で選択したＡＶＣ方式およびＡＡＣ方式について説明する。図３は、図２のＡＶ信号圧縮記録制御手段２０８内の映像と音声の圧縮エンジンとその周辺処理手段の構成をより詳細に説明する図である。図３における代表的な構成要素として、映像符号化部３０１、ＶＣＬ（Ｖｉｄｅｏ  Ｃｏｄｉｎｇ  Ｌａｙｅｒ）−ＮＡＬ（Ｎｅｔｗｏｒｋ  Ａｂｓｔｒａｃｔｉｏｎ  Ｌａｙｅｒ）ユニットバッファ３０２、ＡＡＣ方式による音声符号化部３０３、ＰＳ（Ｐａｒａｍｅｔｅｒ  Ｓｅｔ）バッファ３０４、ＶＵＩ（Ｖｉｄｅｏ  Ｕｓａｂｉｌｉｔｙ  Ｉｎｆｏｒｍａｔｉｏｎ）バッファ（３０５）、ＳＥＩ（Ｓｕｐｐｌｅｍｅｎｔａｌ  Ｅｎｈａｎｃｅｍｅｎｔ  Ｉｎｆｏｒｍａｔｉｏｎ）バッファ３０６、ｎｏｎ−ＶＣＬ−ＮＡＬユニットバッファ３０７、ＭＰＥＧ−ＴＳマッピング処理手段３０８などにより構成される。図３に示すように入力された映像信号をＶＣＬ  ＮＡＬユニット形式のデータに変換する。また、音声信号、メタデータ、外部入力ＰＳ（Ｐａｒａｍｅｔｅｒ  Ｓｅｔ）データ、外部入力ＶＵＩ（Ｖｉｄｅｏ  Ｕｓａｂｉｌｉｔｙ  Ｉｎｆｏｒｍａｔｉｏｎ）データ、外部入力ＳＥＩ（Ｓｕｐｐｌｅｍｅｎｔａｌ  Ｅｎｈａｎｃｅｍｅｎｔ  Ｉｎｆｏｒｍａｔｉｏｎ）データをＮｏｎ  ＶＣＬ  ＮＡＬユニット形式のデータに変換する。これらＶＣＬ  ＮＡＬユニット形式のデータと、Ｎｏｎ  ＶＣＬ  ＮＡＬユニット形式のデータをＭＰＥＧ−２  ＴＳ形式に変換して出力する。なお、  Ｈ．２６４／ＡＶＣ方式についての解説は、たとえば、「Ｈ．２６４／ＡＶＣ教科書」、大久保榮監修、株式会社インプレス発行などがある。また、ＭＰＥＧ−ＴＳ（Ｍｏｖｉｎｇ  Ｐｉｃｔｕｒｅ  Ｅｘｐｅｒｔｓ  Ｇｒｏｕｐ、Ｔｒａｎｓｐｏｒｔ  Ｓｔｒｅａｍ）信号はＩＥＣ  ６１８８３−４で規定されている。ＭＰＥＧ−ＴＳはＭＰＥＧトランスポートパケット（ＴＳパケットと略す）が複数個集まったものである。ＴＳパケットは１８８ｂｙｔｅの固定長パケットで、その長さはＡＴＭのセル長（５３バイト中、ＡＴＭペイロードは４７バイト）との整合性、およびリードソロモン符号などの誤り訂正符号化を行なう場合の適用性を考慮して決定されている。
ＴＳパケットは４ｂｙｔｅ固定長のパケットヘッダと可変長のアダプテーションフィールド（ａｄａｐｔａｔｉｏｎ  ｆｉｅｌｄ）およびペイロード（ｐａｙｌｏａｄ）で構成される。パケットヘッダにはＰＩＤ（パケット識別子）や各種フラグが定義されている。このＰＩＤによりＴＳパケットの種類を識別する。ａｄａｐｔａｔｉｏｎ＿ｆｉｅｌｄとｐａｙｌｏａｄは、片方のみが存在する場合と両方が存在する場合とがあり、その有無はパケットヘッダ内のフラグ（ａｄａｐｔａｔｉｏｎ＿ｆｉｅｌｄ＿ｃｏｎｔｒｏｌ）により識別できる。ａｄａｐｔａｔｉｏｎ＿ｆｉｅｌｄは、ＰＣＲ（Ｐｒｏｇｒａｍ＿Ｃｌｏｃｋ＿Ｒｅｆｅｒｅｎｃｅ）等の情報伝送、および、ＴＳパケットを１８８ｂｙｔｅ固定長にするためのＴＳパケット内でのスタッフィング機能を持つ。また、ＭＰＥＧ−２の場合、ＰＣＲは２７ＭＨｚのタイムスタンプで、符号化時の基準時間を復号器のＳＴＣ（Ｓｙｓｔｅｍ  Ｔｉｍｅ  Ｃｌｏｃｋ）で再現するためにＰＣＲ値が参照される。各ＴＳパケットに付加するタイムスタンプのクロックは、たとえば、ＭＰＥＧのシステムクロック周波数に等しく、パケット送信装置はさらに、ＴＳパケットを受信し、受信したＴＳパケットに付加されたタイムスタンプより、ＭＰＥＧ−ＴＳのネットワーク伝送によりＰｒｏｇｒａｍ  Ｃｌｏｃｋ  Ｒｅｆｅｒｅｎｃｅ（ＰＣＲ）に付加された伝送ジッターを除去して、ＭＰＥＧシステムクロックの再生を行うクロック再生手段を備える。
ＭＰＥＧ−２のＴＳでは復号器のＳＴＣはＰＣＲによるＰＬＬ動機機能を持つ。このＰＬＬ同期の動作を安定させるためにＰＣＲの送信間隔は、ＭＰＥＧ規格で１００ｍｓｅｃ以内と決められている。映像や音声などの個別ストリームが収められたＭＰＥＧ−ＰＥＳパケットは同じＰＩＤ番号を持つ複数のＴＳパケットのペイロードに分割して伝送する。ここで、ＰＥＳパケットの先頭は、ＴＳパケットの先頭から開始するように構成される。
トランスポートストリームは複数のプログラムを混合して伝送することができるため、ストリームに含まれているプログラムとそのプログラムを構成している映像や音声ストリームなどのプログラムの要素との関係を表すテーブル情報が用いられる。このテーブル情報はＰＳＩ（Ｐｒｏｇｒａｍ  Ｓｐｅｃｉｆｉｃ  Ｉｎｆｏｒｍａｔｉｏｎ）と呼ばれ、ＰＡＴ  （Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）などのテーブルを用いる。ＰＡＴ、ＰＭＴなどのＰＳＩはセクションと呼ばれる単位でＴＳパケット中のペイロードに配置されて伝送される。
ＰＡＴにはプログラム番号に対応したＰＭＴのＰＩＤなどが指定されており、ＰＭＴには対応するプログラムに含まれる映像、音声、付加データおよびＰＣＲのＰＩＤが記述されるため、ＰＡＴとＰＭＴを参照することにより、ストリームの中から目的のプログラムを構成するＴＳパケットを取り出すことができる。ＴＳに関する参考文献としては、例えば、ＣＱ出版社、ＴＥＣＨ  Ｉ  Ｖｏ．４、「画像＆音声圧縮技術のすべて（インターネット／ディジタルテレビ、モバイル通信時代の必須技術）」、監修、藤原洋、第６章、「画像や音声を多重化するＭＰＥＧシステム」があり、同書にて解説されている。 
【００２８】
ＰＳＩやＳＩに関する論理的な階層構造、処理手順の例、選局処理の例に関して、「ディジタル放送受信機における選局技術」、三宅他、三洋電機技報、ＶＯＬ．３６、ＪＵＮＥ  ２００４、第７４号、３１ページから４４ページにて解説されている。
【００２９】
ところで、メタデータはＳＥＩバッファ３０６に入力する。ここでは、メタデータはＳＥＩのＵｓｅｒ  Ｄａｔａ  Ｕｎｒｅｇｉｓｔｅｒｅｄ  ＳＥＩに格納する。メタデータの種類としては、前述したメタデータ以外にも、一般的なデータをメタデータ化したメタデータ、また、デジタル放送を受信してそのＳＩ（Ｓｅｒｖｉｃｅ  Ｉｎｆｏｒｍａｔｉｏｎ；  番組配列情報）より得るメタデータ、EPG提供事業者より得たEPG情報などのメタデータ、Ｉｎｔｅｒｎｅｔから得たEPGなどのメタデータ、また、個人でムービー撮影したAVコンテンツ（静止画、音声、クリップなどの動画）に関連付けたメタデータなどがある。メタデータの形式としては、たとえば、ＵＰｎＰやＵＰｎＰ−ＡＶの標準仕様として、プロパティ（ｐｒｏｐｅｒｔｙ）やアトリビュート（ａｔｔｒｉｂｕｔｅ）があり、ｈｔｔｐ：／／ｕｐｎｐ．ｏｒｇで公開されており、ＸＭＬ（Ｅｘｔｅｎｓｉｂｌｅ  Ｍａｒｋｕｐ  Ｌａｎｇｕａｇｅ）やＢＭＬ（Ｂｒｏａｄｃａｓｔ  Ｍａｒｋｕｐ  Ｌａｎｇｕａｇｅ）などの記述言語で表現できる。ｈｔｔｐ：／／ｕｐｎｐ．ｏｒｇにおいて、例えば、「Ｄｅｖｉｃｅ  Ａｒｃｈｉｔｅｃｔｕｒｅ  Ｖ  １．０」、「ＣｏｎｔｅｎｔＤｉｒｅｃｔｏｒｙ：１  Ｓｅｒｖｉｃｅ  Ｔｅｍｐｌａｔｅ  Ｖｅｒｓｉｏｎ  １．０１」、「ＭｅｄｉａＳｅｒｖｅｒ  Ｖ  １．０  ａｎｄ  ＭｅｄｉａＲｅｎｄｅｒｅｒ  Ｖ  １．０」に関して、「ＭｅｄｉａＳｅｒｖｅｒ  Ｖ  １．０」、「ＭｅｄｉａＲｅｎｄｅｒｅｒ  Ｖ  １．０」、「ＣｏｎｎｅｃｔｉｏｎＭａｎａｇｅｒ  Ｖ  １．０」、「ＣｏｎｔｅｎｔＤｉｒｅｃｔｏｒｙ  Ｖ  １．０」、「ＲｅｎｄｅｒｉｎｇＣｏｎｔｒｏｌ  Ｖ  １．０」、「ＡＶＴｒａｎｓｐｏｒｔ  Ｖ  １．０」、「ＵＰｎＰＴＭ  ＡＶ  Ａｒｃｈｉｔｅｃｔｕｒｅ  Ｖ  ．８３」などの仕様書が公開されている。また、メタデータ規格に関しては、ＥＢＵのＰ／Ｍｅｔａ、ＳＭＰＴＥのＫＬＶ方式、ＴＶ  Ａｎｙｔｉｍｅ、ＭＰＥＧ７などで決められたメタデータ形式があり、「映像情報メディア学会誌、５５巻、３号、情報検索のためのメタデータの標準化動向」などで解説されている。
なお、ムービーなどの撮影者、コンテンツ制作者、またはコンテンツの著作権者が各メタデータに価値を付け、コンテンツを利用するユーザーの利用内容や頻度により利用料金を徴収するために、各メタデータに価値を与えるメタデータを関連づけることができる。この各メタデータに価値を与えるメタデータは該メタデータのアトリビュートで与えてもよいし、独立したプロパティとして与えてもよい。たとえば、録画機器と録画条件に関する情報、すなわち、ムービーの機器ＩＤ、ムービーなどの撮影者、コンテンツ制作者、またはコンテンツの著作権者が作成、登録するメタデータの価値が高くて使用許諾が必要と考える場合、該メタデータの利用には認証による使用許諾のプロセスを実行する構成を本発明に組み込んだ構成をとることもできる。
たとえば、自分で撮影した動画コンテンツを暗号化したファイルを作成し、Ｉｎｔｅｒｎｅｔ上のサーバーにその暗号化ファイルをアップロードする。その暗号化ファイルの説明や一部の画像などを公開して、気にいった人に購入してもらう構成をとることもできる。また、貴重なニュースソースが録画できた場合、複数の放送局のニュース部門間で競売（オークション）にかける構成をとることもできる。
これらメタデータを活用することにより、多くのAVコンテンツから所望のコンテンツを検索する、ライブラリに分類する、記録時間を長時間化する、自動表示を行う、コンテンツ販売するなどコンテンツの効率的な利用が可能となる。記録時間を長時間化するには、価値の低い動画コンテンツは解像度を低くするとか、音声と静止画（たとえば、ＭＰＥＧのＩピクチャーやＨ．２６４のＩＤＲピクチャーを抜き出してもよい）だけにするとか、静止画だけにするなどの構成をとることにより実現できる。
【００３０】
さて、図２に戻って説明を行う。ＡＶ信号圧縮記録制御手段２０８で生成されたＭＰＥＧ−ＴＳ信号は、記録媒体（または、バッファメモリ）２０９内のＡＶデータファイル用ディレクトリ２１０に記録（または、一時蓄積）される。なお、ここで、記録媒体（または、バッファメモリ）２０９として半導体メモリ、光ディスク（ＤＶＤ−ＲＡＭ、ＤＶＤ−Ｒ、ＢＤなど）、ＨＤＤ（ハードディスクドライブ）を用いることによりクイックアクセスが可能となるし、一部のデータ、たとえば、メタデータを修正したり追加したりすることが容易に実行できる。また、このＭＰＥＧ−ＴＳ信号のタイトルはＡＶ信号圧縮記録制御手段２０８よりタイトルを記録媒体２０９内のタイトルリスト／プレイリスト／ナビゲーションデータファイル用ディレクトリ２１１に記録する。さらに、このＭＰＥＧ−ＴＳ信号のメタデータはＡＶ信号圧縮記録制御手段２０８より記録媒体２０９内のメタデータ用ディレクトリ２１２に記録する。
【００３１】
次に、記録媒体２０９に記録されたＡＶデータファイルの内、画像認識手段２０４で検出された画像、たとえば、人（人物）の顔が誰であるか人の識別を行う方法について説明する。メタデータファイル２１２には、画像認識手段２０４で検出された画像がＡＶデータファイルに記録されたどのＡＶデータファイルのどの映像（映像フレームまたは映像フィールド）のどの位置にあるものであるかのメタ情報が記録されている。ＡＶ信号再生制御手段２１７は、メタデータファイルより人の識別を行うデータ位置に関する情報を受け取りＡＶデータファイルより該当の画像データを呼び出す。そして、呼び出した画像データを人の特定を行う画像認識手段２１５に入力する。画像認識手段２１５は、画像認識のデータベース（人や動物や物の特徴を記述したデータベース）２１６を用いて、照会された人が誰であるかを判定して、判定結果をメタデータファイルに追加する。この人の判定結果は、元のメタデータが前述の「非特定人物ナンバー１２３」である場合、人物判定結果、たとえば「田中次郎」が追加される。なお後にユーザーが確認した人物名と人物の顔が間違っていた場合、ユーザーは、管理制御手段２１９のボタン入力を介して、正しい名前である「田中一郎」に修正できる。なお、ボタン入力でも、最近の携帯電話で一般化されているように文字入力が実現できる。また、一枚の映像（映像フレームまたは映像フィールド）における人物の人数は一人に制限されず、検知領域の最小サイズ以上であれば、何人でも検知できる。すなわち、一枚の映像に、「田中一郎」、「鈴木あゆこ」、「加藤奈津子」など複数の人物名が同時に存在できる。なお、メタデータ生成・同期・管理手段２０７の設定によって、特定のファイルやファイル中の場面に対して、一枚の映像（映像フレームまたは映像フィールド）における人物の人数を特定の数、たとえば、５人に制限することができる。これにより人物データのデータ容量削減と、処理負荷の削減を図ることができる。
【００３２】
なお、画像認識手段２１５において認識する対象が人の顔でなく、文字、動物、車など画像認識のデータベース（人や動物や物の特徴を記述したデータベース）２１６内のそれぞれのデータベースファイルを参照して画像の認識、特定を行い、メタデータファイルに追加記述する。
【００３３】
たとえば、人を認識した場合、その人の着用している服、ネクタイ、メガネ、帽子、時計、靴、また持っている鞄やバッグを画像データベースに登録し、その人物と関連付けておくことより、問い合わせに対応する検索を簡単に実行することができる。この場合、人物をＵＰｎＰのプロパティとし、その人物の着用している服、ネクタイ、メガネ、帽子、時計、靴、また持っている鞄やバッグを人物プロパティのアトリビュートと定義することもできる。
【００３４】
また、音楽や人や人の動きなど著作権の発生するものを自動認識する手段を具備することにより、コンテンツ素材より編集を行った完パケ（完成パケット、完成コンテンツ）を構成する各シーンの著作権関連項目を呼び出したり、表示したり、各著作権関連項目に著作権の管理元、連絡先、使用条件や著作権料などのメタデータを追記できる。これにより、もし撮影コンテンツに著作権処理が必要な場合、編集素材や完パケに対して必要な著作権処理のリストを用意に作成できる。よって、コンテンツの再利用が促進される。
【００３５】
さて、記録媒体２０９から映像を再生する場合、ユーザーは管理制御手段２１９よりＡＶ信号再生制御手段２１７にアクセスし、記録されているファイルタイトルから再生ファイルを選ぶ。ユーザが複数のＡＶファイルの中から再生すべきファイルが特定できない場合には、ユーザーは管理制御手段２１９のユーザーインタフェース（ユーザーのボタン入力）より、検索キーワードを打ち込み、ＡＶ再生制御手段２１７に問い合わせる。ＡＶ再生制御手段２１７は、入力されたキーワードに全部または一部マッチングするメタデータをタイトルリスト／プレイリスト／ナビゲーションデータファイルディレクトリ２１１およびメタデータファイルディレクトリ２１２から検索して、その結果を、たとえばテキスト情報と該当映像のサムネイルをＡＶ信号出力手段２２０の出力映像に重畳する。これによりユーザは検索結果を、テキストとサムネイルのペアとして、ＴＶ画面上で確認できる。なお、ここで、ユーザーへの検索結果の通知は、カメラに付いているファインダーなど一般の表示ディスプレイを用いてもよい。
【００３６】
さて、上記のタイトルリストやメタデータ検索結果などから、再生すべきＡＶデータを特定した後は、ユーザーは目的のＡＶファイルを呼び出し再生する。なお、このＡＶファイル中の特定の場面にすぐにアクセスする場合、ユーザーは管理制御手段２１９を介してＡＶ信号と紐付けをしたメタデータを使用することによりアクセスしたい場面にすぐにアクセスして再生することができる。
（実施の形態２）
次に、本発明の第２の実施例について説明する。以下においては、実施の形態１と同じ部分は説明を省略し、異なる部分のみ説明する。図４は第２の実施例の説明図である。図４においては、プレイリスト生成・管理手段４０１を新たに追加する。
【００３７】
プレイリスト生成・管理手段４０１は、複数のＡＶファイルから任意のＡＶ信号部を選択して自由に組み合わせて（編集して）、新たなＡＶファイルを生成する。この生成方法としては、管理制御手段２１９においてユーザーがボタン入力で指定したファイルに対して、メタデータで指定される場面と、メタデータで指定されないがユ−ザが重要と考える場面を時間軸に沿って、ＡＶ信号出力手段２２０の出力信号にサムネイル表示させる（図１の１１２参照）。なお、サムネイルはユーザーが指定した長さなど特定長の映像クリップの先頭画像（または、サムネイルの代表画像）である。ユーザーは表示されたサムネイル画像を見て、自分の編集したい映像クリップを選び、各クリップ中で使用するシーンを選択し、順番を変えて新たな映像ファイルを生成する。この作業で実際に生成しているのは、ファイルからのクリップ切り出し位置情報の組み合わせとしての、いわゆるプレイリストであり、このプレイリストをタイトルリスト／プレイリスト／ナビゲーションデータファイルディレクトリ２１１に登録する。この様にプレイリストを用いると、余分なＡＶ信号のないコンパクトなファイルをバーチャルに生成できる。
【００３８】
さて、記録媒体２０９から映像を再生する場合、ユーザーは管理制御手段２１９よりＡＶ信号再生制御手段２１７にアクセスし、記録されているファイルタイトルおよびプレイリストから再生ファイルを選ぶ。ユーザが複数のＡＶファイルの中から再生すべきファイルのタイトルまたはプレイリストが特定できない場合には、ユーザーは管理制御手段２１９のユーザーインタフェース（ユーザーのボタン入力）より、検索キーワードを打ち込み、ＡＶ再生制御手段２１７に問い合わせる。ＡＶ再生制御手段２１７は、入力されたキーワードに全部または一部マッチングするメタデータをタイトルリスト／プレイリスト／ナビゲーションデータファイルディレクトリ２１１およびメタデータファイルディレクトリ２１２から検索して、その結果を、たとえばテキスト情報と該当映像のサムネイルをＡＶ信号出力手段２２０の出力映像に重畳する。これによりユーザは検索結果を、テキストとサムネイルのペアとして、ＴＶ画面上で確認できる。なお、ここで、ユーザーへの検索結果の通知は、カメラに付いているファインダーなど一般の表示ディスプレイを用いてもよい。
【００３９】
さて、上記のタイトルリスト、メタデータ検索結果に加えてプレイリストから、再生すべきＡＶデータを特定でき、特定後、目的のＡＶファイルを呼び出し再生する。なお、このＡＶファイル中の特定の場面にすぐにアクセスする場合、ユーザーは管理制御手段２１９を介してＡＶ信号と関連付けしたメタデータを使用することにより、アクセスしたい場面にすぐにアクセスして再生できる。
（実施の形態３）
次に、本発明の第３の実施例について説明する。以下においては、実施の形態２と同じ部分は説明を省略し、異なる部分のみ説明する。図５は第３の実施例の説明図である。図５においては、プレイリスト出力手段５０１を新たに追加する。プレイリスト出力手段５０１は、第２の実施例で生成されタイトルリスト／プレイリスト／ナビゲーションデータファイルディレクトリ２１１に登録されたプレイリストを出力する。
【００４０】
記録媒体２０９から映像を再生する場合、ユーザーは管理制御手段２１９よりＡＶ信号再生制御手段２１７にアクセスし、記録されているファイルタイトルおよびプレイリストから再生ファイルを選ぶ。ユーザが複数のＡＶファイルの中から再生すべきファイルのタイトルまたはプレイリストが特定できない場合には、ユーザーは管理制御手段２１９のユーザーインタフェース（ユーザーのボタン入力）より、検索キーワードを打ち込み、ＡＶ再生制御手段２１７に問い合わせる。ＡＶ再生制御手段２１７は、入力されたキーワードに全部または一部マッチングするメタデータをタイトルリスト／プレイリスト／ナビゲーションデータファイルディレクトリ２１１およびメタデータファイルディレクトリ２１２から検索して、その結果を、たとえばテキスト情報と該当映像のサムネイルをＡＶ信号出力手段２２０の出力映像に重畳する。これによりユーザは検索結果を、テキストとサムネイルのペアとして、ＴＶ画面上で確認できる。なお、ここで、ユーザーへの検索結果の通知は、カメラに付いているファインダーなど一般の表示ディスプレイを用いてもよい。
【００４１】
さて、上記のタイトルリスト、プレイリストやメタデータ検索結果などから、再生すべきＡＶデータを特定した後は、ユーザーは目的のプレイリストをプレイリスト出力手段より出力する。
【００４２】
この様にプレイリストを出力するメリットを図６を用いて説明する。図６においてユーザー１とユーザー２がネットワークを介して接続されているとする。ネットワークの種類は問わず、ＩＰベースのホームネットワークでもよいしインターネットでもよい。
【００４３】
ユーザー２がローカルのＴＶ６０８のリモコン６０９から、ネットワークを介してリモートのムービー１０１にアクセスする場合を考える。ユーザー２がムービー１０１内の録画ファイルを遠隔から視聴する場合、ムービー１０１内のプレイリストに従ってＡＶ信号を視聴できれば、プレイリストのファイルには編集前の余分なデータがない分、データ転送量が小さくなり、機器およびネットワークにかかる負荷を小さくできる。すなわち、ムービーでの生の撮影信号から不要な信号を削除して編集されたＡＶ信号を、より効率的に視聴できる。
【００４４】
また、ユーザー１はＡＶファイル、ＡＶファイルに関するメタデータおよびプレイリストをネットワーク６０５内のサーバー６０６や、ユーザー１ローカルのＡＶレコーダー６０２、ユーザー２ローカルのＡＶレコーダー６０２にアップロードできる。これにより、別のユーザー（たとえば、ユーザー３）がサーバー６０６や、ＡＶレコーダー６０２、ＡＶレコーダー６０２にアクセスしてプレイリストに従ったＡＶ信号を効率的に送受信することができる。
【００４５】
ここで、もし、ユーザー２や別のユーザー（たとえば、ユーザー３）が視聴したプレイリストよりもっと別のプレイリストを考案した場合、ユーザー２や別のユーザー（たとえば、ユーザー３）は新たなプレイリストを生成し、サーバー６０６や、ＡＶレコーダー６０２、ＡＶレコーダー６０２にアップロードする。これにより、限られた数のＡＶ信号（コンテンツ）から多くの編集タイトル（プレイリスト）を生成でき、ＡＶ信号（コンテンツ）を色々な観点から鑑賞することが可能となる。いわゆる、ネットワーク型の映像編集、制作をネットワークを介して共同で行うことも可能となる。
【００４６】
また、プレイリストを利用することにより別のアプリケーション（利用方法）も生まれる。たとえば、ムービー１０１からＡＶ信号再生制御手段２１７で低解像度のＡＶ信号に変換して、メタデータと共に携帯電話６０１に出力し、形態電話６０１でメタデータを用いて映像編集を行ない編集ＥＤＬ（または、プレイリスト）をムービー１０１に送る。ＴＶ６０３はムービー１０１にアクセスし、プレイリストを選択し、ムービーでの生の撮影信号から不要な信号を削除してきれいに編集されたＡＶ信号を視聴できる。
【００４７】
また、プレイリストに従ったＡＶ信号をＡＶレコーダー６０２やサーバー６０５、ＡＶレコーダー６０７にアップロード（または、ダウンロード）することにより、ネットワークに繋がったユーザーはネットワークを介して、より完成度が高く編集されたＡＶコンテンツ信号を効率的に視聴できる。
【００４８】
本発明は、プレイリストを利用したＡＶコンテンツ視聴に発展させることもできる。たとえば、図７においてネットワーク６０５をインターネットとした場合、ユーザー１はインターネット上のサーバー６０６にブログ（Ｂｌｏｇ、Ｗｅｂｌｏｇの別名）形式のサイトを公開し、そのブログサイトにアクセスして登録した複数のユーザーにＲＳＳ（ＲＤＦ  Ｓｉｔｅ  Ｓｕｍｍａｒｙ）形式でＡＶコンテンツの追加、更新情報を知らせることができる。ここでユーザー１はＡＶコンテンツとそのＡＶコンテンツに対応した複数のプレイリストを公開する。個々のプレイリストには、たとえば、そのＡＶコンテンツのダイジェスト版、簡易版、完全版、編集前の生コンテンツなどの解説が付けられており、ＡＶコンテンツを視聴するユーザーは好みのプレイリストを選びＡＶコンテンツを視聴することができる。これは、デジタル放送におけるＥＰＧ（Ｅｌｅｃｔｒｏｎｉｃ  Ｐｒｏｇｒａｍ  Ｇｕｉｄｅ）配信をインターネット上の放送配信メディアに拡張したシステムと考えることができる。ダイジェスト版は１セグ放送や携帯電話での有料または無料のコンテンツ配信に有効であり、簡易版や完全版、編集前コンテンツはＷＥＢ上での有料または無料のコンテンツ配信に有効である。ユーザー１はインターネット上のを通じて多くのユーザーに知らせることができるので、小規模な企業体や個人でも音声や映像のインターネットベースの放送局を開局できる。また、ユーザーは、ＲＳＳフィードによるインターネット上のＡＶコンテンツを自動的に収集する仕組みである、いわゆる、Ｐｏｄｃａｓｔｉｎｇ（ポッドキャスティング）を利用してインターネット上のＡＶコンテンツを視聴できる。
【００４９】
さらに、ムービー１０１にインターネットに接続してサーバーとして働く機能を持たせる（ＩＰネットワーク接続機能付きムービーカメラ１０１）。この場合、ユーザー１は撮影中のコンテンツをメタデータと一緒にインターネットを介してライブ配信できる。すなわち、ユーザー１はライブ撮影の音声と映像を音声認識や画像認識やボタン入力ですばやくメタデータ化し、ＸＭＬ文書としてＲＳＳでインターネットで公開することにより、メタデータによる解説付きの生中継を全世界に行うことができる。
【００５０】
（実施の形態４）
次に、本発明の第４の実施例について説明する。以下においては、実施の形態３と同じ部分は説明を省略し、異なる部分のみ説明する。図７は第４の実施例の説明図である。図７においては、メタデータ時刻修正手段７０１を新たに追加する。プレイリスト出力手段５０１は、第２の実施例で生成されタイトルリスト／プレイリスト／ナビゲーションデータファイルディレクトリ２１１に登録されたプレイリストを出力する。
【００５１】
記録媒体２０９から映像を再生する場合、ユーザーは管理制御手段２１９よりＡＶ信号再生制御手段２１７にアクセスし、記録されているファイルタイトルおよびプレイリストから再生ファイルを選ぶ。ユーザが複数のＡＶファイルの中から再生すべきファイルのタイトルまたはプレイリストが特定できない場合には、ユーザーは管理制御手段２１９のユーザーインタフェース（ユーザーのボタン入力）より、検索キーワードを打ち込み、ＡＶ再生制御手段２１７に問い合わせる。ＡＶ再生制御手段２１７は、入力されたキーワードに全部または一部マッチングするメタデータをタイトルリスト／プレイリスト／ナビゲーションデータファイルディレクトリ２１１およびメタデータファイルディレクトリ２１２から検索して、その結果を、たとえばテキスト情報と該当映像のサムネイルをＡＶ信号出力手段２２０の出力映像に重畳する。これによりユーザは検索結果を、テキストとサムネイルのペアとして、ＴＶ画面上で確認できるが、メタデータとサムネイルの間にムービー撮影者の意図しない時間ずれがあった場合、編集や視聴前にそのずれを修正する必要がある。そこでユーザーは、指定したメタデータに対するサムネイルを見ながら、管理制御手段２１９よりボタン入力によりメタデータとサムネイルの時間ずれを映像のフレームまたはフィールド単位で修正（トリミング）する。このとき、メタデータ時刻修正手段７０１がユーザーの指定した分だけメタデータに関連付けた映像信号の時間情報（タイムコードまたはデータ位置情報）を修正して新しい時間情報でメタデータと映像信号を関連付ける。これにより、ムービー撮影者や撮影監督などのユーザーは考えたとおりにメタデータと映像の同期を取ることが可能となる。よって、ＡＶ信号の編集効率をアップし、映像表現の高精度化、高度化を図ることができる。
【００５２】
また、本発明によればプレイリストの新たな利用方法として放送番組のプレイリスト配信を行うことができる。たとえば、ムービー１０１がＴＶチューナーを内蔵していて、ＴＶ放送を録画した場合、ユーザー１は録画したＴＶ番組を前述の様に編集してそのプレイリストを生成する。この場合、ユーザー１は録画番組のタイトルとプレイリストだけをインターネット上のサーバーに公開する。他の一般ユーザ（たとえば、ユーザー１２３とする）もユーザー１と同じ番組を録画している場合、ユーザー１２３はユーザー１の生成したプレイリストをダウンロードすることにより、自分（ユーザー１２３）の録画したＴＶ番組をユーザー１が生成したプレイリストに従った未知のストーリー仕立てで自分で録画した番組を視聴できる。たとえば、スポーツ番組ならばダイジェスト再生や、ニュースならばヘッドライン再生、ＣＭ（コマーシャル）だけを集めたプレイリストを生成できる。ここで、課題となるのは時刻同期であるが、ムービー、サーバーまたはＡＶレコーダーの時計精度を映像フレーム以内に合わせることは現在の技術で可能である。たとえば、日本のデジタル放送ではＡＲＩＢ規格で規定されたＴＯＴ（Ｔｉｍｅ  Ｏｆｆｓｅｔ  Ｔａｂｌｅ）信号から共通の時刻情報を生成することができる。アナログ放送の場合には、標準電波や放送受信した映像フレームや音声の特徴より判別することができる。
【００５３】
また、本発明はテレビ録画だけでなく、映画やインターネット上での動画コンテンツ、携帯端末向けのコンテンツ作成にも応用できる。
【００５４】
メタデータはテキストデータとして前記コンテンツに付随させることもできるし、メタデータをバイナリデータとして前記コンテンツに付随させることもできる、また、メタデータをウォーターマークとして前記コンテンツに付随させることもできる。
【００５５】
また、メタデータはウォーターマークとして画像データの中に埋め込んだ形でコンコードし、記録再生、伝送受信した後、デコードして使うこともできる。なお、上記の説明では同一のメディアへの記録、蓄積を例としたが、関連付けの行ってある２つ以上のメディアにメタデータと映像データを別々に保存しても良い。また、関連付けの行ってあるメディアであればメタデータのみの保存、または映像データのみの保存、またはメタデータと映像データの２つを保存、のどれかを行っても良い。
【産業上の利用可能性】
【００５６】
本発明はカメラ撮影時に取得できるコンテンツ（映像、音声、データ）からメタデータを生成し、入力する方法と、検索と頭だしが高速化された編集システムに関して好適なものである。
【図面の簡単な説明】
【００５７】
【図１】本発明のカメラ撮影、撮影データとメタデータによる撮影データの編集システムのモデル図
【図２】本発明の第１の実施例の説明図
【図３】Ｈ．２６４圧縮におけるメタデータの取り扱いの説明図
【図４】本発明の第２の実施例の説明図
【図５】本発明の第３の実施例の説明図
【図６】本発明の編集システムをネットワークに適用した例を示すモデル図
【図７】本発明の第４の実施例の説明図
【符号の説明】
【００５８】
１０１    カメラ
１０２    カメラのレンズ部
１０３    カメラのマイク
１０４    カメラの撮影対象
１０５    カメラで撮影したデータ
１０６    映像データ
１０７    音声データ
１０８    メタデータ
１０９    カメラで撮影されたデータシーケンス
１１０    リモコン
１１１    編集により、シーン＃１からシーン＃５までをつなぎ合わせたデータシーケンス
１１２    テレビ（ＴＶ）
１１３    メタデータ入力用ボタン
【図１】
2007052626.tif 000003
【図２】
2007052626.tif 000004
【図３】
2007052626.tif 000005
【図４】
2007052626.tif 000006
【図５】
2007052626.tif 000007
【図６】
2007052626.tif 000008
【図７】
2007052626.tif 000009